(57)【要約】【課題】映像ストリームの配信を要求する際に用いるブロードキャストアドレスを含む映像要求用情報を取得可能とする。【解決手段】ネットワークを介して映像ストリームを配信する映像配信システムである。前記映像受信装置５０−１〜５０−ｎには、前記映像配信装置２０−１〜２０−ｍに対して映像ストリームの配信を要求する際に用いるブロードキャストアドレスを含む映像要求用情報の返送を求める返送要請情報を送信する要請送信手段５０１と、この要請送信手段５０１により送信が行われた場合に映像配信装置から返送される映像要求用情報を受信し、保持する受信保持手段５０２とが具備され、映像配信装置２０−１〜２０−ｍには、映像要求用情報を保持すると共に、前記要請送信手段５０１からの求めに応じて保持している映像要求用情報を返送する返送手段２０１を具備する。【選択図】図４
2009219080.tif 000002
【特許請求の範囲】
【請求項１】
ネットワークを介して映像ストリームを配信する映像配信装置と、この映像配信装置から前記ネットワークを介して映像ストリームの配信を受ける映像受信装置とを備える映像配信システムにおいて、
前記映像受信装置には、
前記映像配信装置に対して映像ストリームの配信を要求する際に用いるブロードキャストアドレスを含む映像要求用情報の返送を求める返送要請情報を送信する要請送信手段と、
この要請送信手段により送信が行われた場合に前記映像配信装置から返送される映像要求用情報を受信し、保持する受信保持手段と、
前記映像配信装置に対して映像ストリームの配信を要求する際に前記受信保持手段により保持されている映像要求用情報を用いて前記映像配信装置へ映像ストリームの配信を要求する配信要求手段と
が具備され、
前記映像配信装置には、
映像要求用情報を保持すると共に、前記要請送信手段からの求めに応じて保持している映像要求用情報を返送する返送手段と、
前記配信要求手段による前記映像要求用情報を用いた映像ストリームの配信要求があると、映像ストリームを配信する映像配信手段と
が具備されていることを特徴とする映像配信システム。
【請求項２】
要請送信手段は、所要時に或いは指示が与えられた場合に映像要求用情報の返送を求める返送要請情報を送信することを特徴とする請求項１に記載の映像配信システム。
【請求項３】
ネットワークを介して映像ストリームを配信する映像配信装置と、この映像配信装置から前記ネットワークを介して映像ストリームの配信を受ける映像受信装置とを備える映像配信システムの映像受信装置であって、
前記映像配信装置に対して映像ストリームの配信を要求する際に用いるブロードキャストアドレスを含む映像要求用情報の返送を求める返送要請情報を送信する要請送信手段と、
この要請送信手段により送信が行われた場合に前記映像配信装置から返送される映像要求用情報を受信し、保持する受信保持手段と、
前記映像配信装置に対して映像ストリームの配信を要求する際に前記受信保持手段により保持されている映像要求用情報を用いて前記映像配信装置へ映像ストリームの配信を要求する配信要求手段と
を具備したことを特徴とする映像受信装置。
【請求項４】
要請送信手段は、所要時に或いは指示が与えられた場合に映像要求用情報の返送を求める返送要請情報を送信することを特徴とする請求項３に記載の映像受信装置。
【発明の詳細な説明】
【技術分野】
【０００１】
この発明は、ネットワークを介して映像ストリームを配信する映像配信装置と、この映像配信装置から上記ネットワークを介して映像ストリームの配信を受ける映像受信装置とを備える映像配信システム及び、このシステムを構成する映像受信装置に関するものである。
【背景技術】
【０００２】
ネットワークを介して映像の配信を受ける場合には、ブロードキャストアドレスを用いて映像配信サーバに接続する必要がある。実際には、ブロードキャストアドレスとポート番号を指定する必要がある。ブロードキャストアドレスとポート番号の指定によりクライアントへ映像配信を行う（特許文献１参照）。
【０００３】
【特許文献１】このため、複数の映像配信サーバがネットワークに存在し、必要に応じて一つのサーバからネットワークを介して映像の配信を受ける場合には、予め複数の映像配信サーバついてブロードキャストアドレスとポート番号を設定しておく必要があり、設定作業が煩わしいという問題があった。
【特許文献２】特開平１０−１６４５５３号公報
【発明の開示】
【発明が解決しようとする課題】
【０００４】
本発明は上記のような従来の映像配信システムが有する問題点を解決せんとしてなされたもので、その目的は、映像配信装置へ要請を送って映像ストリームの配信を要求する際に用いるブロードキャストアドレスを含む映像要求用情報を取得することが可能な映像配信システムを提供することである。また、この映像配信システムを構成する映像受信装置を提供することを目的とする。
【課題を解決するための手段】
【０００５】
本発明に係る映像配信システムは、ネットワークを介して映像ストリームを配信する映像配信装置と、この映像配信装置から前記ネットワークを介して映像ストリームの配信を受ける映像受信装置とを備える映像配信システムにおいて、前記映像受信装置には、前記映像配信装置に対して映像ストリームの配信を要求する際に用いるブロードキャストアドレスを含む映像要求用情報の返送を求める返送要請情報を送信する要請送信手段と、この要請送信手段により送信が行われた場合に前記映像配信装置から返送される映像要求用情報を受信し、保持する受信保持手段と、前記映像配信装置に対して映像ストリームの配信を要求する際に前記受信保持手段により保持されている映像要求用情報を用いて前記映像配信装置へ映像ストリームの配信を要求する配信要求手段とが具備され、前記映像配信装置には、映像要求用情報を保持すると共に、前記要請送信手段からの求めに応じて保持している映像要求用情報を返送する返送手段と、前記配信要求手段による前記映像要求用情報を用いた映像ストリームの配信要求があると、映像ストリームを配信する映像配信手段とが具備されていることを特徴とする。
【０００６】
本発明に係る映像配信システムでは、要請送信手段は、所要時に或いは指示が与えられた場合に映像要求用情報の返送を求める返送要請情報を送信することを特徴とする。
【０００７】
本発明に係る映像受信装置は、ネットワークを介して映像ストリームを配信する映像配信装置と、この映像配信装置から前記ネットワークを介して映像ストリームの配信を受ける映像受信装置とを備える映像配信システムの映像受信装置であって、前記映像配信装置に対して映像ストリームの配信を要求する際に用いるブロードキャストアドレスを含む映像要求用情報の返送を求める返送要請情報を送信する要請送信手段と、この要請送信手段により送信が行われた場合に前記映像配信装置から返送される映像要求用情報を受信し、保持する受信保持手段と、前記映像配信装置に対して映像ストリームの配信を要求する際に前記受信保持手段により保持されている映像要求用情報を用いて前記映像配信装置へ映像ストリームの配信を要求する配信要求手段とを具備したことを特徴とする。
【０００８】
本発明に係る映像受信装置では、要請送信手段は、所要時に或いは指示が与えられた場合に映像要求用情報の返送を求める返送要請情報を送信することを特徴とする。
【発明の効果】
【０００９】
本発明では、映像配信装置に対して映像ストリームの配信を要求する際に用いるブロードキャストアドレスを含む映像要求用情報の返送を求める返送要請情報を送信し、この返送要請送信が行われた場合に映像配信装置から返送される映像要求用情報を受信し保持し、上記映像配信装置に対して映像ストリームの配信を要求する際に上記で保持されている映像要求用情報を用いて上記映像配信装置へ映像ストリームの配信を要求するので、人手により映像要求用情報を設定する必要がなく、便利である。
【発明を実施するための最良の形態】
【００１０】
以下、添付図面を参照して本発明に係る映像配信システム及びこのシステムを構成する映像受信装置の実施例を説明する。各図において、同一の構成要素には同一の符号を付して重複する説明を省略する。図１には、本発明に係る映像配信システムの実施例を示す構成図が示されている。このシステムは、ネットワーク３０に、映像を配信する映像配信装置２０−１〜２０−ｍと映像を受信する映像受信装置５０−１〜５０−ｎとが接続されたものである。
【００１１】
映像配信装置２０−１〜２０−ｍには、それぞれ所要の撮像対象を撮像した映像信号を得るテレビカメラ１０−１〜１０−ｍが接続されている。また、映像受信装置５０−１〜５０−ｎには、それぞれ映像を表示するためのモニタ６０−１〜６０−ｎが接続されている。
【００１２】
映像配信装置２０−１〜２０−ｍは、図２に示す映像配信装置２０の構成を備えている。即ち、システムバス２８にＣＰＵ２１、主記憶装置２２、二次記憶装置２３、ネットワークインタフェース２４、Ａ／Ｄ変換器２６、映像圧縮エンコーダ２７が接続された構成を有している。ＣＰＵ２１は、主記憶装置２２に記憶されたプログラムや二次記憶装置２３に記憶されたデータを用いて、各部の統括制御を行うものである。
【００１３】
ネットワークインタフェース２４は、ネットワーク３０に接続され、映像受信装置５０−１〜５０−ｎと通信するために用いられる。Ａ／Ｄ変換器２６は、ビデをカメラ１０（１０−１〜１０−ｍ）から送られてくる映像信号をディジタル化するものである。映像圧縮エンコーダ２７は、Ａ／Ｄ変換器２６によりディジタル化された映像データをＨ．２６１などの所定の圧縮方式により圧縮するものである。
【００１４】
映像受信装置５０−１〜５０−ｎは、図３に示す映像受信装置５０の構成を備えている。即ち、システムバス５８にＣＰＵ５１、主記憶装置５２、二次記憶装置５３、ネットワークインタフェース５４、Ｉ／Ｏポート５５、Ｄ／Ａ変換器５６、映像伸長デコーダ５７が接続された構成を有している。ＣＰＵ５１は、主記憶装置５２に記憶されたプログラムや二次記憶装置５３に記憶されたデータを用いて、各部の統括制御を行うものである。
【００１５】
ネットワークインタフェース５４は、ネットワーク３０に接続され、映像配信装置２０−１〜２０−ｍと通信するために用いられる。Ｉ／Ｏポート５５は、赤外線リモコン７０の信号を受けるものであり、赤外線リモコン７０により接続する映像配信装置２０−１〜２０−ｍの切り換え指示を与えることができ、ブロードキャストアドレスを含む映像要求用情報の収集指示を与えることができる。
【００１６】
Ｄ／Ａ変換器５６は映像信号をアナログ信号に変換してモニタ６０へ送出するもので、このＤ／Ａ変換器５６からの出力を受けてモニタ６０には映像が表示される。映像伸長デコーダ５７は、映像配信装置２０−１〜２０−ｍから送られネットワークインタフェース５４を介して到来した圧縮後の映像ストリームを圧縮方式に対応して伸長し、Ｄ／Ａ変換器５６へ送るものである。
【００１７】
上記映像受信装置５０−１〜５０−ｎでは、ＣＰＵ５１が主記憶装置５２のプログラムに基づき図４に示される要請送信手段５０１、受信保持手段５０２、配信要求手段５０３、映像取得手段５０４として機能する。受信保持手段５０２には、データベース５０５が含まれている。上記要請送信手段５０１は、映像配信装置２０−１〜２０−ｍに対して映像ストリームの配信を要求する際に用いるブロードキャストアドレスとポート番号を含む映像要求用情報の返送を求める返送要請情報を送信するものである。
【００１８】
受信保持手段５０２は、要請送信手段５０１により送信が行われた場合に映像配信装置２０−１〜２０−ｍから返送される映像要求用情報を受信し、データベース５０５に保持するものである。配信要求手段５０３は、映像配信装置２０−１〜２０−ｍに対して映像ストリームの配信を要求する際に上記受信保持手段５０２のデータベース５０５に保持されている映像要求用情報を用いて上記映像配信装置２０−１〜２０−ｍへ映像ストリームの配信を要求するものである。映像取得手段５０４は、配信要求手段５０３による配信要求に応えて映像配信装置２０−１〜２０−ｍから送られる映像ストリームを受けて映像伸長デコーダ５７によるデータ伸長を行わせ、Ｄ／Ａ変換器５６へ送ってアナログ信号とさせモニタ６０に表示されるように処理を行う。
【００１９】
また、上記映像配信装置２０−１〜２０−ｍでは、ＣＰＵ２１が主記憶装置２２のプログラムに基づき図４に示される返送手段２０１、映像配信手段２０２として機能する。映像配信装置２０−１〜２０−ｍは、図４に示される自装置の映像ストリームの配信を要求する際に用いられる映像要求用情報であるブロードキャストアドレスとポート番号を記憶した記憶部２０３が備えられている。
【００２０】
上記の返送手段２０１は、記憶部２０３に映像要求用情報を保持すると共に、上記要請送信手段５０１からの求めに応じて記憶部２０３に保持されている映像要求用情報を返送するものである。映像配信手段２０２は、上記配信要求手段５０３による当該映像配信装置の映像要求用情報を用いた映像ストリームの配信要求があると、ビデオカメラ１０から得られる映像信号についてＡ／Ｄ変換器２６によりディジタル化され、映像圧縮エンコーダ２７により圧縮された映像ストリームを配信するものである。
【００２１】
図５には、データベース５０５に保持される映像要求用情報の一例を示す。データベース５０５には、映像配信装置２０−１〜２０−ｍの識別情報と、情報取得先アドレスである返送手段２０１へアクセスするためのＩＰアドレスとポート番号、映像要求用情報であるブロードキャストアドレスとポート番号が対応付けられて記憶されるようになっている。映像配信装置２０−１〜２０−ｍの識別情報は、数字やあアルファベットの記号であっても良いが、例えばａａ川のｂｂ橋付近などのようなカメラの設置場所情報、或いは富士山などのような被写体を特定する情報などであっても良い。
【００２２】
また、返送手段２０１へアクセスするためのＩＰアドレスとポート番号は、全ての映像配信装置２０−１〜２０−ｍについて設定しておくことが望ましい。この場合、設定は映像受信装置５０−１〜５０−ｍの設置場所において行っても良いが、ネットワーク３０を介してネットワーク管理者が行っても良い。映像受信装置５０−１〜５０−ｍのユーザは、例えば赤外線リモコン７０を用いて映像配信装置２０−１〜２０−ｍの所望の映像配信装置について映像要求用情報であるブロードキャストアドレスとポート番号を取得する処理を実行させることができる。また、映像受信装置５０−１〜５０−ｍが自動的に所定時などに全ての映像配信装置２０−１〜２０−ｍについて映像要求用情報であるブロードキャストアドレスとポート番号を取得する処理を実行する構成であっても良い。
【００２３】
以上の通りに構成された映像配信システムにあっては、映像要求用情報であるブロードキャストアドレスとポート番号を取得する処理を、映像受信装置５０−１〜５０−ｍのＣＰＵ５１が図６に示すフローチャートに基づき行い、映像配信装置２０−１〜２０−ｍのＣＰＵ２１が図７に示すフローチャートに基づき行うので、これらのフローチャートに基づき動作を説明する。
【００２４】
ユーザの入力により或いは所定時の到来により、映像要求用情報であるブロードキャストアドレスとポート番号の取得処理プログラムが映像受信装置５０において起動されて、図６におけるスタートとなる。ＣＰＵ５１は、ユーザにより指示された映像配信装置の識別情報に対応付けて記憶されている情報取得先のＩＰアドレスとポート番号、またはプログラムにより設定されている映像配信装置の識別情報に対応付けて記憶されている情報取得先のＩＰアドレスとポート番号を取り出し、これを宛先として映像要求用情報の返送を求める返送要請情報を送信する（Ｓ１１）。
【００２５】
映像配信装置２０においては、ＣＰＵ２１がイベント発生を監視しており（Ｓ２１）、イベントが発生すると、返送要請情報の到来であるかを検出する（Ｓ２２）。このステップＳ２２において、発生したイベントが返送要請情報の到来以外のイベントであるときには、発生したイベントに対応する処理を行う（Ｓ２３）。
【００２６】
上記に対し、ステップＳ２２において、発生したイベントが返送要請情報の到来であることを検出すると、記憶部２０３に記憶されている映像要求用情報であるブロードキャストアドレスとポート番号を取り出し、返送する（Ｓ２４）。
【００２７】
ステップＳ１１に次いで、ＣＰＵ５１は、映像配信装置２０から返送されてくる映像要求用情報を受信して、該映像配信装置の識別情報に対応付けて該映像要求用情報をデータベース５０５に記憶し（Ｓ１２）、次の映像配信装置から映像要求用情報の返送を求める処理へ進むかを検出し（Ｓ１３）、次の映像配信装置から映像要求用情報の返送を求める場合にはステップＳ１１へ戻って処理を続ける。
【００２８】
以上のようにして、ユーザが映像配信装置２０−１〜２０−ｍの映像要求用情報を設定しなくとも、映像配信装置２０−１〜２０−ｍの識別情報に対応付けられて映像要求用情報であるブロードキャストアドレスとポート番号が対応付けられて記憶される。従って、ユーザが映像配信装置２０−１〜２０−ｍのいずれか所望の映像配信装置に対して映像ストリームの配信を要求する際には、該当データベース５０５に記憶されている映像要求用情報を用いることができる。
【図面の簡単な説明】
【００２９】
【図１】本発明に係る映像配信システムの実施例の構成図。
【図２】本発明に係る映像配信システムを構成する映像配信装置の実施例の構成図。
【図３】本発明に係る映像配信システムを構成する映像受信装置の実施例の構成図。
【図４】本発明に係る映像配信システムの実施例のソフトウエア構成図。
【図５】本発明に係る映像配信システムを構成する映像受信装置の実施例に備えられるデータベースに記憶される情報の一例を示す図。
【図６】本発明に係る映像配信システムを構成する映像受信装置の実施例の動作を示すフローチャート。
【図７】本発明に係る映像配信システムを構成する映像配信装置の実施例の動作を示すフローチャート。
【符号の説明】
【００３０】
１０   ビデオカメラ
２０   映像配信装置
２２   主記憶装置
２７   映像圧縮エンコーダ
３０   ネットワーク
５０   映像受信装置
５２   主記憶装置
５５   ポート
５７   映像伸長デコーダ
２０１ 返送手段
２０２ 映像配信手段
２０３ 記憶部
５０１ 要請送信手段
５０２ 受信保持手段
５０３ 配信要求手段
５０４ 映像取得手段
【図１】
2009219080.tif 000003
【図２】
2009219080.tif 000004
【図３】
2009219080.tif 000005
【図４】
2009219080.tif 000006
【図５】
2009219080.tif 000007
【図６】
2009219080.tif 000008
【図７】
2009219080.tif 000009